(57)【要約】【課題】  風呂回路が凍結する可能性がある時に浴槽内の湯水の有無の確認を促す報知を実施する風呂装置を提供する。【解決手段】  風呂の保温運転が実施された後の所定時間内に風呂回路３の凍結防止運転が実施されリモコン３２上のいずれかのスイッチが操作されたら、リモコン３２のディスプレイ３５やスピーカ３６で今後凍結防止運転が実施される可能性があるため、浴槽２０の栓を抜いて湯水を排水せずに所定量だけ貯めておくよう推奨する報知を実施するため、凍結防止運転時に必要な湯水を浴槽２０に貯めた状態にすることを使用者に意識付けることができ、凍結防止運転が実施可能となる可能性を高めた。【選択図】  図３
2015102253.tif 000002
【特許請求の範囲】
【請求項１】
器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止運転が実施された後の所定時間以内に前記リモコン上のいずれかのスイッチが操作されたら、前記リモコンで凍結防止運転が実施される可能性がある旨または浴槽内の湯水を排水せず所定量以上の湯水を貯めたままにしておくことを推奨する旨の報知を行うことを特徴とする風呂装置。
【請求項２】
器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路途中に設置され浴槽の水位を検知する水位センサと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止運転が実施された後の所定時間以内に前記水位センサで検知された浴槽の水位が連続して低下していれば、前記リモコンで凍結防止運転が実施される可能性がある旨または浴槽内の湯水を排水せず所定量以上の湯水を貯めたままにしておくことを推奨する旨の報知を行うことを特徴とする風呂装置。
【請求項３】
器具本体と、該器具本体内に設置され湯水を加熱する加熱手段と、該加熱手段によって加熱されることで湯水を昇温する熱交換器と、該熱交換器と浴槽とを配管で接続する風呂回路と、低温水が流動する給水管と高温水が流動する給湯管とで構成された給湯回路と、該給湯回路途中に設置され湯水の流量を検知する流量センサと、前記風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転終了後かつ前記凍結防止運転が実施された後の所定時間以内に前記流量センサで湯水の流動を検知したら、前記リモコンで凍結防止運転が実施される可能性がある旨または浴槽内の湯水を排水せず所定量以上の湯水を貯めたままにしておくことを推奨する旨の報知を行うことを特徴とする風呂装置。
【請求項４】
器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止温度センサでの検知値が前記凍結防止運転の開始温度以下になり前記リモコン上のいずれかのスイッチが操作されたら、前記リモコンで凍結防止運転が実施される可能性がある旨または浴槽内の湯水を排水せず所定量以上の湯水を貯めたままにしておくことを推奨する旨の報知を行うことを特徴とする風呂装置。
【請求項５】
器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路途中に設置され浴槽の水位を検知する水位センサと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止温度センサでの検知値が前記凍結防止運転の開始温度以下になり前記水位センサで検知された浴槽の水位が連続して低下していれば、前記リモコンで凍結防止運転が実施される可能性がある旨または浴槽内の湯水を排水せず所定量以上の湯水を貯めたままにしておくことを推奨する旨の報知を行うことを特徴とする風呂装置。
【請求項６】
器具本体と、該器具本体内に設置され湯水を加熱する加熱手段と、該加熱手段によって加熱されることで湯水を昇温する熱交換器と、該熱交換器と浴槽とを配管で接続する風呂回路と、低温水が流動する給水管と高温水が流動する給湯管とで構成された給湯回路と、該給湯回路途中に設置され湯水の流量を検知する流量センサと、前記風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転終了後かつ前記凍結防止温度センサでの検知値が前記凍結防止運転の開始温度以下になり前記流量センサで湯水の流動を検知したら、前記リモコンで凍結防止運転が実施される可能性がある旨または浴槽内の湯水を排水せず所定量以上の湯水を貯めたままにしておくことを推奨する旨の報知を行うことを特徴とする風呂装置。
【発明の詳細な説明】
【技術分野】
【０００１】
この発明は、加熱手段によって加熱された湯水を浴槽に貯めて、設定温度に保温する風呂装置に関するものである。
【背景技術】
【０００２】
従来、風呂回路の途中に設置された凍結防止温度センサでの検知値が所定値以下であれば、風呂循環ポンプを駆動させて風呂回路内の湯水を循環させることで、配管内にある湯水の凍結を防止する凍結防止運転を実施する風呂装置において、前記凍結防止温度センサでの検知値が所定値以下になった時に、浴槽の水位を検知する水位センサや風呂回路内の湯水の流量を検知する流量センサによって浴槽内の湯水の存在が検知できなければ、風呂回路内にある湯水が凍結する虞があるにも関わらず浴槽内に湯水がないと判断し、リモコンの表示部に浴槽内の湯水無しを表示したり所定のランプを点灯させることで、使用者に浴槽内に湯水がなく凍結防止運転が実施できない旨を報知することで、浴槽内へ湯水を貯めることを使用者に対して意識させて、配管の凍結防止を可能とする風呂装置があった。（例えば、特許文献１）
【先行技術文献】
【特許文献】
【０００３】
【特許文献１】特開２００４−４４８６３号公報
【発明の概要】
【発明が解決しようとする課題】
【０００４】
しかし、この従来のものでは、凍結防止温度センサでの検知値が所定値以下になった時に、水位センサや流量センサによって浴槽内に湯水がないと検知されると、自動的にリモコンから浴槽内の湯水なし状態が報知されるため、使用者がリモコンから離れた場所にいる場合は報知内容に気付かないことがあり、また、リモコンからの報知が深夜に実施されることがあるため、使用者に不快感を与える虞があった。
【課題を解決するための手段】
【０００５】
上記課題を解決するために、本発明の請求項１では、器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止運転が実施された後の所定時間以内に前記リモコン上のいずれかのスイッチが操作されたら、前記リモコンで凍結防止運転が実施される可能性がある旨または浴槽内の湯水を排水せず所定量以上の湯水を貯めたままにしておくことを推奨する旨の報知を行うものである。
【０００６】
また、請求項２では、器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路途中に設置され浴槽の水位を検知する水位センサと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止運転が実施された後の所定時間以内に前記水位センサで検知された浴槽の水位が連続して低下していれば、前記リモコンで凍結防止運転が実施される可能性がある旨または浴槽内の湯水を排水せず所定量以上の湯水を貯めたままにしておくことを推奨する旨の報知を行うものである。
【０００７】
また、請求項３では、器具本体と、該器具本体内に設置され湯水を加熱する加熱手段と、該加熱手段によって加熱されることで湯水を昇温する熱交換器と、該熱交換器と浴槽とを配管で接続する風呂回路と、低温水が流動する給水管と高温水が流動する給湯管とで構成された給湯回路と、該給湯回路途中に設置され湯水の流量を検知する流量センサと、前記風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転終了後かつ前記凍結防止運転が実施された後の所定時間以内に前記流量センサで湯水の流動を検知したら、前記リモコンで凍結防止運転が実施される可能性がある旨または浴槽内の湯水を排水せず所定量以上の湯水を貯めたままにしておくことを推奨する旨の報知を行うものである。
【０００８】
また、請求項４では、器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止温度センサでの検知値が前記凍結防止運転の開始温度以下になり前記リモコン上のいずれかのスイッチが操作されたら、前記リモコンで凍結防止運転が実施される可能性がある旨または浴槽内の湯水を排水せず所定量以上の湯水を貯めたままにしておくことを推奨する旨の報知を行うものである。
【０００９】
また、請求項５では、器具本体と、該器具本体内に設置され湯水を加熱する加熱手段と、該加熱手段によって加熱されることで湯水を昇温する熱交換器と、該熱交換器と浴槽とを配管で接続する風呂回路と、該風呂回路途中に設置され配管内の湯水を循環させる風呂循環ポンプと、前記風呂回路途中に設置され浴槽の水位を検知する水位センサと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転の終了後かつ前記凍結防止温度センサでの検知値が前記凍結防止運転の開始温度以下になり前記水位センサで検知された浴槽の水位が連続して低下していれば、前記リモコンで凍結防止運転が実施される可能性がある旨または浴槽内の湯水を排水せず所定量以上の湯水を貯めたままにしておくことを推奨する旨の報知を行うものである。
【００１０】
また、請求項６では、器具本体と、該器具本体内に設置され湯水を加熱する加熱手段と、該加熱手段によって加熱されることで湯水を昇温する熱交換器と、該熱交換器と浴槽とを配管で接続する風呂回路と、低温水が流動する給水管と高温水が流動する給湯管とで構成された給湯回路と、該給湯回路途中に設置され湯水の流量を検知する流量センサと、前記風呂回路途中に設置され配管内の湯水を循環させる風呂循環ポンプと、前記風呂回路の凍結防止運転の開始温度を検知する凍結防止温度センサと、浴槽内の湯水を設定温度で所定時間だけ保温する保温運転を実行させる風呂自動スイッチと、該風呂自動スイッチや他の操作可能なスイッチを複数備えたリモコンと、前記凍結防止温度センサでの検知値が所定の凍結防止運転開始温度以下であれば、前記風呂循環ポンプを駆動させて前記風呂回路内の湯水を循環させる凍結防止運転を実施する制御部とを備えた風呂装置において、前記制御部は、前記保温運転終了後かつ前記凍結防止温度センサでの検知値が前記凍結防止運転の開始温度以下になり前記流量センサで湯水の流動を検知したら、前記リモコンで凍結防止運転が実施される可能性がある旨または浴槽内の湯水を排水せず所定量以上の湯水を貯めたままにしておくことを推奨する旨の報知を行うものである。
【発明の効果】
【００１１】
この発明の請求項１によれば、保温運転の終了後かつ凍結防止運転が実施された後の所定時間以内にリモコン上のいずれかのスイッチが操作されたら、リモコンで凍結防止運転が実施される可能性がある旨または浴槽内の湯水を排水せず所定量以上の湯水を貯めたままにしておくことを推奨する旨の報知を行うので、凍結防止運転が実施される可能性が高いと考えられる時にリモコンのスイッチ操作がされたら、今後凍結防止運転が実施される可能性があることと、浴槽内の湯水を確認するよう推奨する内容を報知することで、浴槽内の湯水の有無の確認動作を使用者に対して意識付けることができ、また、使用者が覚醒している時に報知を行うことから、睡眠を阻害する音の発生を防止することができる。
【００１２】
また、請求項２によれば、保温運転の終了後かつ凍結防止運転が実施された後の所定時間以内に水位センサで検知された浴槽の水位が連続して低下していれば、リモコンで凍結防止運転が実施される可能性がある旨または浴槽内の湯水を排水せず所定量以上の湯水を貯めたままにしておくことを推奨する旨の報知を行うので、凍結防止運転が実施される可能性が高いと考えられる時に浴槽の水位が連続して低下し浴槽の栓が抜かれて湯水が排水されたら、今後凍結防止運転が実施される可能性があることと、浴槽内の湯水を確認するよう推奨する内容を報知することで、浴槽内の湯水を排水せずに貯めておくことを使用者に対して意識付けることができ、また、使用者が覚醒している時に報知を行うことから、睡眠を阻害する音の発生を防止することができる。
【００１３】
また、請求項３によれば、保温運転終了後かつ凍結防止運転が実施された後の所定時間以内に流量センサで湯水の流動を検知したら、リモコンで凍結防止運転が実施される可能性がある旨または浴槽内の湯水を排水せず所定量以上の湯水を貯めたままにしておくことを推奨する旨の報知を行うので、凍結防止運転が実施される可能性が高いと考えられる時に給湯回路内の湯水が流動して出湯されたら、今後凍結防止運転が実施される可能性があることと、浴槽内の湯水を確認するよう推奨する内容を報知することで、浴槽内の湯水を排水せずに貯めておくことを使用者に対して意識付けることができ、また、使用者が覚醒している時に報知を行うことから、睡眠を阻害する音の発生を防止することができる。
【００１４】
また、請求項４によれば、保温運転の終了後かつ凍結防止温度センサでの検知値が凍結防止運転の開始温度以下になりリモコン上のいずれかのスイッチが操作されたら、リモコンで凍結防止運転が実施される可能性がある旨または浴槽内の湯水を排水せず所定量以上の湯水を貯めたままにしておくことを推奨する旨の報知を行うので、風呂回路の湯水が凍結する可能性がある時にリモコンのスイッチ操作がされたら、今後凍結防止運転が実施される可能性があることと、浴槽内の湯水を確認するよう推奨する内容を報知することで、浴槽内の湯水の有無の確認動作を使用者に対して意識付けることができ、また、使用者が覚醒している時に報知を行うことから、睡眠を阻害する音の発生を防止することができる。
【００１５】
また、請求項５によれば、保温運転の終了後かつ凍結防止温度センサでの検知値が凍結防止運転の開始温度以下になり水位センサで検知された浴槽の水位が連続して低下していれば、リモコンで凍結防止運転が実施される可能性がある旨または浴槽内の湯水を排水せず所定量以上の湯水を貯めたままにしておくことを推奨する旨の報知を行うので、風呂回路の湯水が凍結する可能性がある時に浴槽の水位が連続して低下し浴槽の栓が抜かれて湯水が排水されたら、今後凍結防止運転が実施される可能性があることと、浴槽内の湯水を確認するよう推奨する内容を報知することで、浴槽内の湯水を排水せずに貯めておくことを使用者に対して意識付けることができ、また、使用者が覚醒している時に報知を行うことから、睡眠を阻害する音の発生を防止することができる。
【００１６】
また、請求項６によれば、保温運転終了後かつ凍結防止温度センサでの検知値が凍結防止運転の開始温度以下になり流量センサで湯水の流動を検知したら、リモコンで凍結防止運転が実施される可能性がある旨または浴槽内の湯水を排水せず所定量以上の湯水を貯めたままにしておくことを推奨する旨の報知を行うので、風呂回路の湯水が凍結する可能性がある時に給湯回路内の湯水が流動して出湯されたら、今後凍結防止運転が実施される可能性があることと、浴槽内の湯水を確認するよう推奨する内容を報知することで、浴槽内の湯水を排水せずに貯めておくことを使用者に対して意識付けることができ、また、使用者が覚醒している時に報知を行うことから、睡眠を阻害する音の発生を防止することができる。
【図面の簡単な説明】
【００１７】
【図１】この発明の一実施形態を示す概略構成図
【図２】同実施形態の制御ブロック図
【図３】同発明の第１実施形態におけるリモコンでの報知制御を説明するフローチャート
【図４】同発明の第２実施形態におけるリモコンでの報知制御を説明するフローチャート
【図５】同発明の第３実施形態におけるリモコンでの報知制御を説明するフローチャート
【図６】同発明の第４実施形態におけるリモコンでの報知制御を説明するフローチャート
【図７】同発明の他の実施形態を説明する概略構成図
【発明を実施するための形態】
【００１８】
次に、この発明の一実施形態を図に基づいて説明する。
１は内部に給湯回路２、風呂回路３、湯張り回路４とを備え屋外に設置された器具本体であり、５は灯油等の燃料を燃焼するバーナ６を備えた加熱手段としての燃焼部である。
【００１９】
前記給湯回路２は、給水栓７が設置された給水管８と、燃焼部５に設置され配管内の湯水を加熱する熱交換器９で加熱された高温水が流動する給湯管１０とで構成されている。
【００２０】
１１は給水管８内にある水の温度を検出する給水温度センサ、１２は給水管８を流動する水の流量を検出する給水流量センサ、１３は給湯管１０の途中に設置され一端が給水管８内の水を導く給水バイパス管１４と接続することで湯水を混合する給湯混合弁、１５は湯水の流量を制御する水比例弁、１６は給湯混合弁１３で混合された湯水の温度を検出する給湯温度センサである。
【００２１】
１７は給湯管１０に接続した出湯管であり、洗面所等に設置された給湯栓１８を開栓することで出湯管１７内の湯水が出湯する。
【００２２】
前記風呂回路３は、燃焼部５に設置された風呂熱交換器１９で加熱された浴槽水を浴槽２０へ流入する風呂戻り管２１と、浴槽２０内の浴槽水を風呂熱交換器１９へ流入する風呂往き管２２とで構成されている。
【００２３】
２３は風呂戻り管２１途中にあり、後述する湯張り回路４と一端が接続された風呂三方弁、２４は風呂回路３内の浴槽水を強制循環させる風呂循環ポンプ、２５は循環する浴槽水の温度を検出する風呂温度センサ、２６は配管内の浴槽水が流動しているか検出する風呂フローセンサ、２７は浴槽２０にある浴槽水の水位を検出する風呂水位センサである。
【００２４】
前記湯張り回路４は、給湯管１０と分岐し風呂三方弁２３と一端が接続された湯張り管２８で構成されており、２９は湯張り管２８内の湯水の流動を弁を開閉して制御する湯張り電磁弁、３０は湯張り管２８内を流動する湯水の流量を検出する湯張り流量センサ、３１は湯張り管２８内の湯水が逆流しないよう二重に設置された湯張り逆止弁である。
【００２５】
３２はスイッチ操作することで各種設定が可能なリモコンであり、浴槽２０に設定温度の湯水を設定量だけ湯張りし、湯張り完了後に風呂温度が設定温度から所定値低下したら追い焚き動作を行うことで風呂の保温運転を所定の保温時間（例えば、４時間）行う風呂自動運転の開始／終了を指示する風呂自動スイッチ３３と、給湯や風呂の設定温度を変更する温度変更スイッチ３４と、現在時刻や設定した情報を表示するディスプレイ３５と、風呂自動スイッチ３３が操作された時や温度変更スイッチ３４で給湯、風呂の設定温度が変更された時、変更内容を音声で報知するスピーカ３６とが備えられている。
【００２６】
３７は器具本体１の外装に設置され、器具本体１内の雰囲気温度を検知する凍結防止温度センサとしての器内温度センサである。
【００２７】
３８はマイコンで構成された制御部であり、前記器内温度センサ３７で検出された温度と事前に設定された基準値とを比較する温度比較手段３９が備えられており、各温度センサや流量センサで検出された値に基づき、バーナ６による燃焼のＯＮ／ＯＦＦ制御や給湯混合弁１３の開度を変化させ、前記リモコン３２で使用者が設定した温度の湯水が給湯栓１８や浴槽２０に供給されるよう調節する。
【００２８】
次に、本実施形態における凍結防止運転について説明する。
風呂自動運転の保温運転時間が終了した後、制御部３８は所定時間毎に器内温度センサ３７での検知値を確認し続け、器内温度センサ３７での検知値が所定の凍結防止運転の開始温度（例えば、３℃）以下となったら、風呂回路３内にある湯水が凍結する虞があるとして風呂循環ポンプ２４を駆動させることで、風呂回路３内にある湯水を循環させ配管内での凍結を防止して配管の破裂を防止する。
【００２９】
次に、本発明の第１実施形態における凍結防止運転を実施する可能性がある場合のリモコン３２での報知に関する制御について、図３のフローチャートに基づいて説明する。
まず、制御部３８は、保温運転の所定時間である４時間が経過したか判断し（ステップＳ１０１）、４時間が経過していれば保温運転終了時から１０分毎に器内温度センサ３７での検知値を確認して最新の検知値を記憶する（ステップＳ１０２）。
【００３０】
ステップＳ１０２で器内温度センサ３７での検知値を確認して最新の検知値を記憶したら、制御部３８は、リモコン３２上にあるスイッチのいずれかが操作されたか判断し（ステップＳ１０３）、いすれかのスイッチが操作されていれば次のステップへ進み、スイッチの操作がされていなければ、再度ステップＳ１０２で１０分毎に器内温度センサ３７での検知値を確認する。
【００３１】
ステップＳ１０３でリモコン３２上のいずれかのスイッチが操作されていれば、制御部３８は、所定時間である２４時間以内に凍結防止運転が実施されたか判断し（ステップＳ１０４）、２４時間以内に凍結防止運転が実施されたと判断したら、リモコン３２のスピーカ３６から所定の報知音を鳴らして、今後凍結防止運転が実施される可能性があるため、浴槽２０の栓を抜いて排水せずに所定量の湯水を貯めておくよう推奨する内容をディスプレイ３５で表示する（ステップＳ１０５）。
【００３２】
ステップＳ１０４で２４時間以内に凍結防止運転が実施されなければ、制御部３８は、ステップＳ１０２で記憶した器内温度センサ３７の最新の検知値が凍結防止運転の開始温度である３℃以下か温度比較手段３９で判断し（ステップＳ１０６）、器内温度センサ３７での最新の検知値が３℃以下であると判断したら、ステップＳ１０５へ進みリモコン３２のスピーカ３６から所定の報知音を鳴らして、今後凍結防止運転が実施される可能性があるため、浴槽２０の栓を抜いて排水せずに所定量の湯水を貯めておくよう推奨する内容をディスプレイ３５で表示し、器内温度センサ３７での検知値が３℃を超えていれば、リモコン３２で操作されたスイッチの制御内容を実行する（ステップＳ１０７）。
【００３３】
以上のように、風呂の保温運転が終了したら器内温度センサ３７での検知値を１０分毎に確認して最新の検知値を記憶し、リモコン３２上のいずれかのスイッチが操作された時、２４時間以内に凍結防止運転が実施されたか、記憶した器内温度センサ３７の最新の検知値が３℃以下であれば、リモコン３２のディスプレイ３５やスピーカ３６で浴槽２０内に湯水が存在するか確認する報知を実施するので、風呂回路３を構成する配管について凍結する可能性が高い場合において、リモコン３２の近傍に使用者が存在する時に浴槽２０内の湯水の確認を促す報知を行うため、所定量以上の湯水を浴槽２０内に貯めた状態にして、凍結防止運転を実施可能な状態にすることを使用者へ意識付けることができる。
【００３４】
次に、本発明の第２実施形態における凍結防止運転を実施する可能性がある場合のリモコン３２での報知に関する制御について、図４のフローチャートに基づいて説明する。
まず、制御部３８は、保温運転の所定時間である４時間が経過したか判断し（ステップＳ２０１）、４時間が経過していれば保温運転終了時から１０分毎に器内温度センサ３７での検知値を確認して最新の検知値を記憶する（ステップＳ２０２）。
【００３５】
ステップＳ２０２で器内温度センサ３７での検知値を確認して最新の検知値を記憶したら、制御部３８は、風呂水位センサ２７での検知値から連続して水位が低下したか判断し（ステップＳ２０３）、連続して浴槽２０の水位が低下していれば、所定時間である２４時間以内に凍結防止運転が実施されたか判断し（ステップＳ２０４）、２４時間以内に凍結防止運転が実施されていれば、リモコン３２のスピーカ３６から所定の報知音を鳴らして、今後凍結防止運転が実施される可能性があるため、浴槽２０の栓を抜いて排水せずに所定量の湯水を貯めておくよう推奨する内容をディスプレイ３５で表示する（ステップＳ２０５）。
【００３６】
ステップＳ２０４で２４時間以内に凍結防止運転が実施されなければ、制御部３８は、ステップＳ２０２で記憶した器内温度センサ３７の最新の検知値が凍結防止運転の開始温度である３℃以下か温度比較手段３９で判断し（ステップＳ２０６）、器内温度センサ３７での最新の検知値が３℃以下であると判断したら、ステップＳ２０５へ進みリモコン３２のスピーカ３６から所定の報知音を鳴らして、今後凍結防止運転が実施される可能性があるため、浴槽２０の栓を抜いて排水せずに所定量の湯水を貯めておくよう推奨する内容をディスプレイ３５で表示し、器内温度センサ３７での最新の検知値が３℃を超えていれば、再度ステップＳ２０２で風呂水位センサ２７での検知値を確認する。
【００３７】
以上のように、浴槽２０の保温運転終了後、所定時間以内に凍結防止運転が実施されたか、記憶された器内温度センサ３７での最新の検知値が３℃以下であり、風呂水位センサ２７により浴槽２０の水位が連続して低下していると判断したら、リモコン３２から凍結防止運転が実施される可能性があり、浴槽２０内の湯水を排水せずに所定量だけ貯めるよう推奨する内容を報知することから、凍結防止運転が実施される可能性がある時、浴槽２０の栓を抜いて湯水を排水している状態を検知してリモコン３２での報知を実施するため、今後凍結防止運転が実施される可能性があるので、浴槽２０の栓を抜いて湯水を排水しないよう使用者へ意識付けることができる。
【００３８】
次に、本発明の第３実施形態における凍結防止運転を実施する可能性がある場合のリモコン３２での報知に関する制御について、図５のフローチャートに基づいて説明する。
まず、制御部３８は、保温運転の所定時間である４時間が経過したか判断し（ステップＳ３０１）、４時間が経過していれば保温運転終了時から１０分毎に器内温度センサ３７での検知値を確認して最新の検知値を記憶する（ステップＳ３０２）。
【００３９】
ステップＳ３０２で器内温度センサ３７での検知値を確認して最新の検知値を記憶したら、制御部３８は、給水流量センサ１２での検知流量が３Ｌ／ｍｉｎ以上か判断し（ステップＳ３０３）、検知流量が３Ｌ／ｍｉｎ以上であれば、所定時間である２４時間以内に凍結防止運転が実施されたか判断し（ステップＳ３０４）、２４時間以内に凍結防止運転が実施されていれば、リモコン３２のスピーカ３６から所定の報知音を鳴らして、今後凍結防止運転が実施される可能性があるため、浴槽２０の湯水を排水せずに所定量の湯水を貯めておくよう推奨する内容をディスプレイ３５で表示する（ステップＳ３０５）。
【００４０】
ステップＳ３０４で２４時間以内に凍結防止運転が実施されなければ、制御部３８は、ステップＳ３０２で記憶した器内温度センサ３７の最新の検知値が凍結防止運転の開始温度である３℃以下か温度比較手段３９で判断し（ステップＳ３０６）、器内温度センサ３７での最新の検知値が３℃以下であると判断したら、ステップＳ３０５へ進みリモコン３２のスピーカ３６から所定の報知音を鳴らして、今後凍結防止運転が実施される可能性があるため、浴槽２０の栓を抜いて排水せずに所定量の湯水を貯めておくよう推奨する内容をディスプレイ３５で表示し、器内温度センサ３７での検知値が３℃を超えていれば、再度ステップＳ３０２で風呂水位センサ２７での検知値を確認する。
【００４１】
以上のように、浴槽２０の保温運転終了後、所定時間以内に凍結防止運転が実施されたか、記憶された器内温度センサ３７での最新の検知値が３℃以下であり、給水流量センサ１２により給湯回路２内の湯水の流動を検知したら、リモコン３２から凍結防止運転が実施される可能性があり、浴槽２０内の湯水を排水せずに所定量だけ貯めるよう推奨する内容を報知することから、凍結防止運転が実施される可能性がある時、洗面所等に設置された給湯栓１８を開栓して給湯回路２内の湯水を流動させた状態を検知してリモコン３２での報知を実施するため、今後凍結防止運転が実施される可能性があるので、浴槽２０の栓を抜いて湯水を排水しないよう使用者へ意識付けることができる。
【００４２】
次に、本発明の第４実施形態における浴槽２０内の湯水の確認を促す報知の制御について、図６のフローチャートに基づいて説明する。
まず、制御部３８は、保温運転の所定時間である４時間が経過したか判断し（ステップＳ４０１）、４時間が経過していれば保温運転終了時から１０分毎に器内温度センサ３７での検知値を確認して最新の３回分を記憶する（ステップＳ４０２）。
【００４３】
ステップＳ４０２で器内温度センサ３７での検知値の最新３回分を記憶したら、制御部３８は、リモコン３２上にあるスイッチのいずれかが操作されたか判断し（ステップＳ４０３）、いすれかのスイッチが操作されていれば次のステップへ進み、スイッチの操作がされていなければ再度ステップＳ４０２で１０分毎に器内温度センサ３７での検知値を確認して記憶する。
【００４４】
ステップＳ４０３でリモコン３２上にあるスイッチのいずれかが操作されていれば、制御部３８は、所定時間である２４時間以内に凍結防止運転が実施されたか判断し（ステップＳ４０４）、２４時間以内に凍結防止運転が実施されていれば、リモコン３２のスピーカ３６から所定の報知音を鳴らして、今後凍結防止運転が実施される可能性があるため、浴槽２０の湯水を排水せずに所定量の湯水を貯めておくよう推奨する内容をディスプレイ３５で表示する（ステップＳ４０５）。
【００４５】
ステップＳ４０４で２４時間以内に凍結防止運転が実施されていなければ、制御部３８は、器内温度センサ３７での最新の検知値が７℃以下であるか温度比較手段３９で確認し、かつ記憶した器内温度センサ３７の最新の検知値が３回連続で低下しているかを判断して（ステップＳ４０６）、器内温度センサ３７の最新の検知値が７℃以下であり、かつ３回連続で器内温度センサ３７での検知値が低下していると判断したら、ステップＳ４０５へ進み凍結防止運転の開始温度以下になることを推定して、リモコン３２のスピーカ３６から所定の報知音を鳴らして、今後凍結防止運転が実施される可能性があるため、浴槽２０の栓を抜いて排水せずに所定量の湯水を貯めておくことを推奨する内容をディスプレイ３５で表示し、いずれかの条件を満たしていなければ、操作されたリモコン３２のスイッチによる制御内容を実行する（ステップＳ４０７）。
【００４６】
以上のように、風呂の保温運転が終了したら器内温度センサ３７での検知値を１０分毎に確認して最新の３回分を記憶し、所定時間以内に凍結防止運転が実施されたか、器内温度センサ３７での最新の検知値が７℃以下でかつ３回連続で器内温度センサ３７の検知値が低下しており、リモコン３２上にあるいずれかのスイッチが操作されていれば、リモコン３２のディスプレイ３５やスピーカ３６で浴槽２０内に湯水が存在するか確認することを推奨する内容の報知を実施するので、風呂回路３を構成する配管が凍結する可能性があることが推定された時にリモコン３２の近傍に使用者が存在すれば、浴槽２０内の湯水の確認を促す報知を行うため、浴槽２０に凍結防止運転で必要な所定量以上の湯水を貯めて、凍結防止運転を実施可能な状態にするよう使用者へ意識付けることができる。
【００４７】
なお、本実施形態では器内温度センサ３７を凍結防止温度センサとして凍結防止運転の実施有無を判断しているが、これに限らず例えば、給水温度センサ１１や給湯温度センサ１６、風呂温度センサ２５を凍結防止温度センサとして凍結防止運転の開始有無を判断する内容であってもよく、風呂回路３内の湯水の凍結有無について判断可能な手段であればよいものである。
【００４８】
また、本実施形態で用いた凍結防止運転の開始温度や所定時間毎に器内温度センサ３７で検知された値、連続して低下した器内温度センサ３７での検知回数、凍結防止運転が実施されてから経過した所定時間、給水流量センサ１２での検知流量値等は一例であり、本発明の趣旨を逸脱しない範囲内で変更可能である。
【００４９】
また、本実施形態ではバーナ６で加熱された風呂熱交換器１９内の湯水を浴槽２０内に貯める構成の給湯装置で説明したが、図８で示すように貯湯タンクを加熱手段として用い、風呂循環ポンプ２４を駆動させることで風呂回路３内の湯水を貯湯タンク内に設置された風呂熱交換器１９で加熱することで、浴槽２０内の湯水を設定温度まで昇温する貯湯式の給湯装置でも適用可能なものである。
【００５０】
また、本実施形態では凍結防止運転時に風呂循環ポンプ２４を駆動させ、風呂回路３内にある湯水を循環させることで配管内での凍結を防止しているが、これに限らず例えば、風呂回路３の途中に凍結防止ヒータを設置して通常運転時は電源ＯＦＦ状態で待機し、器内温度センサ３７での検知値が所定の凍結防止運転の開始温度以下となったら、凍結防止ヒータに通電して電源ＯＮ状態にすることで風呂回路３を構成する配管を加熱し、配管の凍結防止を行う構成であってもよいものである。
【符号の説明】
【００５１】
１    器具本体
２    給湯回路
３    風呂回路
５    燃焼部
８    給水管
１０    給湯管
１２    給水流量センサ
１９    風呂熱交換器
２０    浴槽
２４    風呂循環ポンプ
３２    リモコン
３３    風呂自動スイッチ
３７    器内温度センサ
３８    制御部
【図１】
2015102253.tif 000003
【図２】
2015102253.tif 000004
【図３】
2015102253.tif 000005
【図４】
2015102253.tif 000006
【図５】
2015102253.tif 000007
【図６】
2015102253.tif 000008
【図７】
2015102253.tif 000009